(57)【要約】      （修正有）【課題】高耐熱性であって、洗いやすく、収納にも便利な組み合わせシリコーン鍋を提供する。【解決手段】組み合わせシリコーン鍋は、シリコーンで調製した主鍋と蒸し皿と蓋がお互いに積み重ねられてなる。主鍋の周辺に同じ間隔で複数の凹凸の溝が設けられ、主鍋の口の周りに縁が付いている。主鍋の口側は蒸し皿と蓋に合わせた凸の形の縁である。蒸し皿の口の周りにも対称的に縁が付いており、その縁の内側に主鍋の凸の形の縁に組み合わせたカードスロットが設けられ、蒸し皿の口側が蓋にあわせた凸の形の縁である。また、蒸し皿の周辺に同じ間隔で水蒸気が通らせるように複数の孔があり、孔の下の周辺にも同じ間隔で複数の溝を設けられる。蓋は円錐のような形であり、蓋の天辺に取っ手が付いており、蓋の周辺にも同じ間隔で複数の溝が設置され、蓋の口にも主鍋の口と蒸し皿の口に合わせたカードスロットが設置された。【選択図】図１
0003179103.tif 000002
【実用新案登録請求の範囲】
【請求項１】
組み合わせシリコーン鍋がシリコーンで調製した主鍋と蒸し皿と蓋から構成され、前記主鍋と蒸し皿と蓋がお互いに積み重ねられ、その特徴は、前記主鍋の周辺に同じ間隔で複数の凹凸の溝が設けられ、それによって主鍋を折り畳むことができ、主鍋の口の周りに縁が付いており、鍋が持ちやすく、主鍋の口側は蒸し皿と蓋に合わせて凸の形の縁であり、蒸し皿と蓋は別々に主鍋に被せることができ、蒸し皿の口の周りにも対称的に縁が付いており、その縁の内側に主鍋の凸の形の縁に組み合わせたカードスロットが設けられ、蒸し皿の口側が前記蓋にあわせた凸の形の縁であって、さらに、蒸し皿の周辺に同じ間隔で水蒸気が通らせるように複数の孔があり、孔の下の周辺にも同じ間隔で複数の溝が設けられ、それによって、蒸し皿を折り畳むことができ、前記蓋は円錐のような形であって、蓋の天辺に取っ手が付いており、蓋を折り畳むために、蓋の周辺にも同じ間隔で複数の溝が設置され、蓋の口にも上記主鍋の口と蒸し皿の口に合わせたカードスロットが設置された、組み合わせシリコーン鍋。
【請求項２】
前記蓋が透明なシリコーン製品である請求項１に記載した組み合わせシリコーン鍋。
【請求項３】
前記主鍋が折り畳めるように、その周辺に同じ間隔で凹凸の溝が三本設置され、前記蒸し皿が折り畳めるように、蒸し皿の複数の孔の下の周辺にも同じ間隔で溝が二本設置され、さらに、前記蓋が折り畳めるように、蓋の周辺にも同じ間隔で2本の溝が設置された請求項１に記載した組み合わせシリコーン鍋。
【考案の詳細な説明】
【技術分野】
【０００１】
本考案は食器、具体的にいうと組み合わせシリコーン鍋に関するものである。
【背景技術】
【０００２】
現在の技術では、食器の原材料は金属、木材、カオリン、ブラスチックなどであるが、上記の原材料で調製した食器は以下の欠点がある。作製工程が複雑なことや、使用に長く耐えないことや、壊しやすいことや、清潔の面や収納の面では不便利なことであった。また、ある原材料は一定的な中毒性を持ち、耐熱が弱いという欠点もある。
【考案の概要】
【考案が解決しようとする課題】
【０００３】
本考案の目的は、高耐熱性、清潔の面でも収納の面でも便利だというような組み合わせシリコーン鍋を提供することである。
【課題を解決するための手段】
【０００４】
組み合わせシリコーン鍋がシリコーンで調製した主鍋、蒸し皿と蓋三つの部分から構成する。その特徴は、前記主鍋の周辺に同じ間隔で複数の凹凸の溝が設けられて、それによって主鍋を折り畳むことができる。主鍋の口の周りに縁が付いており、鍋が持ちやすくなっている。主鍋の口側は蒸し皿と蓋に合わせて凸の形の縁であり、そうすると、蒸し皿と蓋は別々に主鍋に被せることができる。蒸し皿の口の周りにも対称的に縁が付いており、その縁の内側に主鍋の凸の形の縁に組み合わせたカードスロットが設けられた。蒸し皿の口側が前記蓋にあわせた凸の形の縁である。また、蒸し皿の周辺に同じ間隔で水蒸気が通らせるように複数の孔があり、孔の下の周辺にも同じ間隔で複数の溝を設けられた、それによって、蒸し皿を折り畳むことができる。前記蓋は円錐のような形であり、蓋の天辺に取っ手が付いておる。蓋を折り畳むために、蓋の周辺にも同じ間隔で複数の溝が設置された。蓋の口にも上記主鍋の口と蒸し皿の口に合わせたカードスロットが設置された。
【０００５】
組み合わせシリコーン鍋において、上記蓋がシリコーンで作られた透明な製品である。
【０００６】
本考案は以下の長所がある：シリコーンは非中毒性と无味の原材料であり、シリコーンで作製された食器は電子レンジでも使用できる、また、本考案の組み合わせシリコーン鍋で食材を蒸したり、煮たりすることもできる、蒸し皿の周辺に孔があるので、食材を蒸すことができる。主鍋にある凹凸の溝を折り畳み、主鍋が平になれる。また、蒸し皿と蓋も平に折れる。そのような設計で前記組み合わせシリコーン鍋は収納の面では非常に便利である、また、シリコーンで調製した食器は洗いやすい。
【考案を実施するための形態】
【０００７】
図１−図６から示すように、組み合わせシリコーン鍋はシリコーンで調製した主鍋１と蒸し皿２と蓋３から構成する。主鍋１と蒸し皿２と蓋３が互いに積み重ねられる。前記主鍋１の周辺に同じ間隔で複数の溝１０３が設けられ、それによって主鍋を折り畳むことができる。前記主鍋１の主鍋の口の周りに縁１０１が付いており、主鍋が持ちやすくなっている。主鍋１の口側は蒸し皿２と蓋３に合わせた凸の形の縁１０２であり、蒸し皿２と蓋３は別々に主鍋に被せることができる。前記蒸し皿２の口の外側にも対称的に縁２０２が付いており、その縁２ ０２の内側に前記主鍋１の凸の形の縁１０２に合わせたカードスロット２０３が設けられた。上記蓋３が前記蒸し皿２の口に被せるように前記蒸し皿２の口側が上記蓋３に合わせた凸の形の縁である。また、前記蒸し皿２の周辺に同じ間隔で複数の孔２０１が設けられて、主鍋１の内部の水蒸気は直接に蒸し皿２に入る。蒸し皿が折り畳めるように、蒸し皿２の複数の孔２０１の下の周辺にも複数の溝２０４が設けられた。一般的に、溝２０４を２本設置する。
【０００８】
上記蓋３が円錐のような形であり、蓋３の天辺に取っ手３０３が付いておる、蓋３が折り畳めるように、その周辺に同じ間隔で複数の溝３０１が設置された。一般的に、溝３０１を２本設置する。蓋３の下口には前記主鍋１の凸の形の縁１０２と蒸し皿２の凸の形の縁に合わせたカードスロット３０２が設置された。
【０００９】
上記組み合わせシリコーン鍋の前記蓋３が透明なシリコーン製品なので、蒸し皿２と主鍋１の中の食材を直接に見える。
【図面の簡単な説明】
【００１０】
【図１】本考案組み合わせシリコーン鍋の主鍋の立体図である
【図２】図１に示す主鍋の断面図である
【図３】本考案組み合わせシリコーン鍋の蒸し皿の立体図である
【図４】図３に示す蒸し皿の断面図である
【図５】本考案組み合わせシリコーン鍋の蓋の立体図である
【図６】図５に示す蓋の断面図である
【符号の説明】
【００１１】
１：主鍋
２：蒸し皿
３：蓋
１０１：縁
１０２：縁
１０３：溝
２０１：孔
２０２：縁
２０３：カードスロット
２０４：溝
３０１：溝
３０２：カードスロット
３０３：取っ手
【図１】
0003179103.tif 000003
【図２】
0003179103.tif 000004
【図３】
0003179103.tif 000005
【図４】
0003179103.tif 000006
【図５】
0003179103.tif 000007
【図６】
0003179103.tif 000008
【手続補正書】
【提出日】平成24年8月2日(2012.8.2)
【手続補正１】
【補正対象書類名】図面
【補正対象項目名】全図
【補正方法】変更
【補正の内容】
【図１】
0003179103.tif 000009
【図２】
0003179103.tif 000010
【図３】
0003179103.tif 000011
【図４】
0003179103.tif 000012
【図６】
0003179103.tif 000013
【図５】
0003179103.tif 000014